(57)【要約】  大型ディーゼルエンジン、特にマリンエンジンのエンジンシリンダを、油を噴射することによって、シリンダ潤滑する集中潤滑システムについて、開示する。本システムを、噴射器１３と、多数のポンプ装置８を含む潤滑装置１１と共に設計する。各ポンプ装置８を、接続管１２を介して関連噴射器１３と接続する。ポンプ装置と関連システム装置との間の接続管１２に、漏油検知器１０を設け、該漏油検知器を、接続管１２の油圧が所定レベルを下回ると信号を発するように適合する。これにより、１つ又は複数の噴射器１３が漏油しているかを確認するために、エンジンの運転中に漏油について連続的に監視可能にする、信頼でき、技術的に単純で安価な漏油監視用システムを、獲得できる。【選択図】  図１及び図５
2013531163.tif 000002
【特許請求の範囲】
【請求項１】
油噴射することにより、大型ディーゼルエンジン、特にマリンエンジンのエンジンシリンダをシリンダ潤滑するための、噴射器及び潤滑装置と共に設計する油圧システム、好ましくは集中潤滑システムであり、前記接続管を介して、噴射器及びアキュムレータの中から選択する関連システム装置と接続する、少なくとも１個のポンプ装置を含む前記システムであって、漏油検知器を、前記システムに、好適には前記ポンプ装置と前記関連システム装置との間の前記接続管に設けること、及び前記漏油検知器を、前記接続管の油圧が、所定レベルを下回ると信号を発するように適合させることを特徴とする、システム。
【請求項２】
前記漏油検知器は、前記接続管と接続したチャンバを有するハウジングを含むこと、バネ付ピンを、前記ハウジングの壁を貫通する穴に取付けること、密封要素を、前記ピンと前記穴との間に配置すること、前記油圧が前記バネからの力を上回ると、前記ピンを、前記チャンバ内の前記油圧によって外方に、外側位置へと押圧することを特徴とする、請求項１に記載の油圧システム。
【請求項３】
前記ピンは、前記チャンバ内部にある該ピンの端部に、前記バネの片端部に対する支持体となる係止リングを備えること、及び前記バネの他端部は、前記穴にあるカラーに対して圧迫することを特徴とする、請求項２に記載の油圧システム。
【請求項４】
前記バネと前記係止リングとの間にプレートを設けること、及び前記バネと前記カラーとの間にプレートと前記密封要素を設けることを特徴とする、請求項３に記載の油圧システム。
【請求項５】
前記ピンは頭部を有し、該頭部は前記外側位置において外面を有し、該外面は前記ハウジングの外面から突出すること、及び前記油圧が前記所定レベルを下回り、その結果前記頭部の前記外面が前記ハウジングの前記外面と面一となる内側位置において、前記頭部は下面を有し、該下面は前記穴内にあるカラーに対して圧迫することを特徴とする、請求項２、３又は４に記載の油圧システム。
【請求項６】
前記ピンを、該ピンがその外側位置を離れると、信号を発するように適合する電子センサ、例えば誘導センサと接続することを特徴とする、請求項２乃至５の何れかに記載の油圧システム。
【請求項７】
前記漏油検知器は、圧力スイッチを含み、該圧力スイッチを、前記接続管に設け、前記圧力が前記所定レベルを下回ると、信号を発するよう適合することを特徴とする、請求項１に記載の油圧システム。
【請求項８】
前記漏油検知器を、前記潤滑装置と一体に形成することを特徴とする、請求項１乃至７の何れかに記載の油圧システム。
【請求項９】
前記漏油検知器を、前記システム装置（１３、２０６；１００、１０１）と一体に形成することを特徴とする、請求項１乃至７の何れかに記載の油圧システム。
【請求項１０】
前記漏油検知器の前記ハウジングを、貫通ダクトを持つ横走部を有すると共に、ステム内のネジ穴によって形成する前記チャンバを含む前記ステムを有するＴ字型部品によって形成すること、及び前記穴を、バネ付ピンを取付ける内穴を有するネジ栓によって密封することを特徴とする、請求項２乃至９の何れかに記載の油圧システム。
【請求項１１】
前記システムは、噴射器の形をした前記噴射器に潤滑油を供給するためのシステム装置、及び前記油を前記噴射器に供給する集中アキュムレータ又は分散アキュムレータの形をしたシステム装置に接続する集中ポンプステーションを含むことを特徴とする、請求項１乃至１０の何れかに記載の油圧システム。
【請求項１２】
前記システムは、アキュムレータの形をしたシステム装置と接続するポンプステーションを含むこと、及び前記アキュムレータを、圧力供給ラインと接続して、油投入の実施を、比較的均一な圧力条件下で実行することを特徴とする、請求項１乃至１１の何れかに記載の油圧システム。 
【発明の詳細な説明】
【技術分野】
【０００１】
本発明は、油噴射することにより、大型ディーゼルエンジン、特にマリンエンジンのエンジンシリンダをシリンダ潤滑するための、噴射器及び潤滑装置と共に設計する油圧システム、好ましくは集中潤滑システムであり、接続管を介して、噴射器及びアキュムレータの中から選択する関連システム装置と接続する、少なくとも１個のポンプ装置を含むシステムに関する。
【０００２】
本発明は、集中潤滑システム以外別の油圧システムにも適用される。本発明は、このように、インジェクタおよび／またはアキュムレータの形のシステム・ユニットを備えるすべての油圧システムに適用される。
【０００３】
本願で使用する用語「システム装置」は、ポンプと接続する油圧装置を意味する。該システム装置を、ポンプから油を噴射するのに使用する噴射器としてもよく、又は、次に油を略一定の圧力で給送するために圧力変動を均等化する目的でポンプに接続するアキュムレータとしてもよい。本発明による油圧システムでは、噴射器とアキュムレータ両方を使用する場合、噴射器にだけでなくアキュムレータにも、漏油検知器を使用してもよい。
【０００４】
本発明は、主として集中潤滑システムと関連づけられ、解釈されるものではあるが、ポンプユニットと連結し、ほぼ恒常的な圧力で油を供給するためのシステムでさえあれば、注入器の有無に関わらず、いかなる油圧システムをも含む。
【背景技術】
【０００５】
主に大型２ストロークディーゼルエンジン用の、従来の集中シリンダ潤滑装置では、２つ以上の集中潤滑装置を使用し、各装置により、単一又は複数のシリンダにおける数カ所で、即ち、油を加圧下で、各接続ラインを通して、様々な被潤滑箇所へ適切な間隔で供給する部分毎に、潤滑する。例えば欧州特許第０６７８１５２号を参照されたい。
【０００６】
伝統的に、各シリンダと密接に関連した状態で取付け、潤滑油用供給槽と接続する多数のポンプ装置と、シリンダ壁の異なる箇所に、油噴射ノズルの形をした噴射器とを伴い、潤滑装置を設計している。
【０００７】
各ポンプ装置は、往復ポンプを含み、該ポンプは、噴射器に油を供給し、共通回転制御シャフトによって、カムを該シャフトに設けた状態で、駆動される。シャフトの回転によって、押圧ヘッド付きカムは其々、制御シャフトに向かう方向にバネ付勢した軸方向に変位するピストンに作用し、その結果シャフトが回転する際のピストンが、往復ポンプのピストンを作動する往復運動を行う。
【０００８】
長年、潤滑装置は、往復ポンプからの吐出圧をそれ程高くしなくても済む条件下で動作してきた。通常、潤滑油の噴射は、圧力１０〜１５バールで行われる。エンジンピストンが上方に復帰ストロークする際中、即ち圧縮行程中に、しかしながら、点火燃焼による次の動力ストローク前に、油をシリンダ内に噴射するのが、通例であった。このシステムは、通常、逆止弁ベースの弁噴射を伴う噴射器を含むものであった。
【０００９】
近年では、ピストンが上方向に運動中にオイルミスト潤滑できる加圧噴霧ノズルの形をした噴射器を通して、油を噴射することによって、潤滑の効率を高めることが、提案されている。しかしながら、同提案では、確実に噴霧ノズルを通して微細噴霧するために、油を極めて高圧、例えば、２５バール以上に加圧する。システムによっては、最大１００バールまで加圧することもある。
【００１０】
また、近年では、電子ディーゼルエンジンが大いに生産されており、そうしたエンジンでは、機械的潤滑装置を駆動するのに従来使用されてきた機械的駆動部を、取除く傾向がある。
【００１１】
従って、噴射器は、本願で述べたように、油噴射ノズル及び／又は加圧噴霧ノズルを含んでいる。
【００１２】
両システムでは、制御シャフトを、エンジンのクランクシャフトとの直接又は間接的な機械的結合によって駆動し、それによってポンプを作動させる動力を提供可能になると同時に、エンジンのクランクシャフトと潤滑装置の制御シャフトとが連動可能になる。
【００１３】
潤滑装置は、例えば、箱形の装置ハウジングを含むことがあり、該ハウジングから接続管が、例えば６〜２４箇所の、関連エンジンシリンダの潤滑箇所まで延在する。
【００１４】
伝統的には、ピストンを、エンジンのクランクシャフトと連動して回転する貫通制御シャフトの作動カム／ロッカアームによって動作させる。ピストンを、作動カムに向けてバネ付勢する。関連する作動カムの極限位置を規定する止めネジが設けてあり、止めネジを、ピストンの個々の動作ストロークを決定し、それにより個々のピストンポンプの関連収量を決定するように、作用させることもある。潤滑装置の実施例については、欧州特許第１３９０６０号に開示されており、同特許では、潤滑装置の動作に関するより詳細な記述がなされている。
【００１５】
従って、今日では、潤滑油を大型の２ストロールディーゼルエンジンに低圧で供給するのに従来使用してきた逆止弁より、比較的高圧で動作する噴射器が用いられている。動作圧が高い噴射器の例としては、ＷＯ特許第００２８１９４号による噴射器、又は欧州特許第１３５０９２９号による噴射器がある。
【００１６】
低圧のシステムと高圧のシステム両方に関しては、潤滑油を供給する際の圧力は大幅に変動するものの、特に、動作圧が高い噴射器に関しては、噴射器において許容できない漏れの有無を明確に規定する許容可能な最低圧力を規定するのが比較的容易である。
【００１７】
通常の動作中、例えば、噴射器に埃が侵入した場合に、噴射器が漏油して、全ての噴射器により問題が発生することがある。今日では、身近に漏油を検知する方法はない。噴射器が作動していれば、エンジンは運転中であり、エンジンを視覚的に「調べて」、漏油している噴射器を発見することは、不可能である。実験室では、漏油している噴射器の有無を確認する方法の１つとして、噴射器に対する潤滑油供給部の圧力を監視する方法がある。この解決方法を、エンジン全体に直ちに移し換えることはできない、というのもそれが圧力センサを、各潤滑油供給部に取付けることを意味するためである。これは、高価であるだけでなく、全てのセンサを監視し、１つ又は複数の噴射器の圧力が所定レベルより下がると、アラームをトリガする制御装置の構築も必要とする。
【００１８】
連続的に、且つエンジンの運転中に、１つ又は複数の噴射器が漏油しているのを確認できれば、有利である。
【００１９】
従って、１つ又は複数の噴射器が漏油しているかを確認するために、エンジンの運転中に連続的に漏油を監視可能にするシステムに対するニーズが存在する。
【００２０】
集中シリンダ潤滑システムによっては、アキュムレータを含むものもある。略一定圧力で潤滑油を次に供給するために圧力変動を均等化する目的で、アキュムレータを、ポンプに接続する。また、これらのシステムでは、圧力を、予め規定した、許容可能な最低圧力以上に保ち、それにより確実に、潤滑油を正確にシリンダに供給することも、重要となる。
【００２１】
アキュムレータを使用するシステム全てに関して、通常動作中に漏油が発生する可能性がある。漏油は、アキュムレータで発生する場合もある。先行技術のシステムでは、アキュムレータで、経時的に供給圧が緩むかも知れない。そのため、アキュムレータに対しては、一定期間毎に、保守点検が設定される。実際に取付けることで供給圧を変化させる虞がある幾つかの追加機器を取付ける必要なく、供給圧が正常かを点検することはできない。原理的に、これは、圧力を測定するのに、バルーン内部にセンサを配置する必要があり、かかるセンサは、圧力を変化させる虞なしに配置するのが難しいという点で、バルーン内で圧力を測定することと同じである。一般的に、ポンプからの圧力差を均等化する形で、アキュムレータが機能しているかを確認するのは困難である。
【００２２】
アキュムレータの圧力が、漏油のためにガス側で極めて低くなると、接続管の圧力は、圧力差を均等化できず、接続ラインにサージが発生する。
【００２３】
言及した保守／点検までの間に―次の点検まで―短時間であれ、長時間であれ、潤滑油の容認できない低圧に繋がり得る漏油が、発生するかも知れない。そのため、確実に、連続的にかかるシステムにおける漏油を監視する必要がある。
【００２４】
ＷＯ特許第０１９８６３８号から、接続管を介してアキュムレータと接続し、更なる接続管を介して噴射器と接続するポンプを含む、シリンダ潤滑用油圧システムが知られている。圧力センサを、アキュムレータと接続して設けている。圧力センサを、ポンプ圧を調節するために、低圧で信号を発するように構成している。アナログ信号を、調節を行うために、使用している。圧力は可変で、システム圧力とポンプ用最大圧力の間で任意のレベルにすることができる。システム装置における漏油に関する記載はない。
【発明の概要】
【発明が解決しようとする課題】
【００２５】
本発明の目的は、上記の欠点を解消すること、及び漏油や圧力低下を監視するための、極めて信頼でき、技術的に単純で安価なシステムであって、噴射器及び／又はアキュムレータの形をした１つ又は複数のシステム装置が漏油している、或いは噴射圧が低下した動作状態にあるかを確認するために、システム／エンジンの運転中に漏油を連続的に監視可能にするシステムを示すことである。
【課題を解決するための手段】
【００２６】
本発明によると、これを、導入部で述べた種類の油圧システムによって達成するが、そのシステムは、漏油検知器を、そのシステム内に設ける点、好適にはポンプ装置と関連システム装置との間の接続管に設ける点、及び漏油検知器を、接続管の油圧が所定レベルを下回ると信号を発するように構成する点で、特徴的である。
【００２７】
本発明による油圧システムでは、噴射器とアキュムレータの両方を使用する場合、漏油検知器を、噴射器にだけでなく、アキュムレータにも使用してもよい。
【００２８】
噴射器の漏油によって、接続管の圧力が低下し、その結果圧力が所定レベルを下回ると漏油検知器が信号を発する。
【００２９】
また、漏油検知器の使用を、集中ポンプと１個又は複数のアキュムレータを使用するシステムにも適用してもよい。この原理を、アキュムレータにおいて漏油を検知するのに、即ちアキュムレータの供給圧に関する不測の低下を検知するのに使用できる。
【００３０】
アキュムレータ用に、アキュムレータのガス側で監視するため、即ち供給圧を監視するために取付けできるセンサを存在させるが、本発明によれば加圧側、即ちアキュムレータ前の液側に、漏油検知器を、圧力ライン／接続管の圧力を監視するために取付けできる。アキュムレータで、異常又は保守不足のために供給圧が緩くなりつつある場合、圧力ラインのサージは著しく変動するため、これを漏油検知器で検知できる。
【００３１】
アキュムレータでの漏油によって、起こり得る漏油の兆しを、アキュムレータの液側で圧力を記録することで得られる。これにより、アキュムレータのガス側の事前供給圧（ｐｒｅｆｅｅｄｉｎｇ  ｐｒｅｓｓｕｒｅ）が正常かを点検可能になる。本発明によると、漏油検知器を、液側に配置し、供給ラインの圧力が許容範囲外に変動しているか否かを監視する。
【００３２】
極めて単純な形では、漏油検知器を、信号を視覚信号とする機械的装置とすることができる。しかしながら、別のバージョンでは、漏油検知器を、電子式とし、漏油検知器は、音響信号又は光信号を発することができる。所定圧力を、通常動作圧にあるレベルによって決定する。圧力が所定圧力を下回った場合に信号を発することで、漏油がシステムで発生していることを表す。これにより、極めて単純で信頼できる監視を確立でき、システムの動作中、例えばエンジンが運転中に、漏油検知器を見ることができる。
【００３３】
特別な実施形態によれば、本発明によるシステムは、漏油検知器が、接続管と接続するチャンバを有するハウジングを含む点、バネ付ピンを、ハウジングの壁を貫通する穴に取付ける点、密封要素を、ピンと穴との間に配置する点、油圧がバネからの力を超えると、ピンを、チャンバ内の油圧によって外方に、外側位置に押圧する点が、特徴的である。
【００３４】
基本概念は、本明細書では、純粋に機械的且つバネ式の解決手段を有する点である。バネを適切に選択することで、ピン前のチャンバ内圧力が、油圧に関する最小圧力として典型的に選択した所定の圧力を下回るかを、バネ付ピンの位置により示す。つまり、圧力が低下した場合には、ピンが外側位置に留まらない。これにより、圧力が低下したという直接的な視覚信号を提供する。
【００３５】
更なる実施形態によると、本発明によるシステムは、チャンバ内でピンの端部に、バネの片端部に対する支持体となる係止リングを備える点、及びバネの他端部は、穴内のカラーに対して圧迫する点で、特徴的である。漏油検知器を、ピン及びバネによって形成するので、動作は一定の圧力で起こる。所定圧力を調節したい場合、係止ワッシャを、ネジ及びネジ穴を備えるピンで置換できる。これにより、バネ長や、その結果バネに関して確立するプレストレスを調節してもよい。
【００３６】
更なる実施形態によると、本発明によるシステムは、バネと係止リングとの間に、プレートを設ける点、及びバネとカラーとの間に、プレートと密封要素を設ける点で、特徴的である。これにより、しっかりとした当接面を、バネに関して獲得できると同時に、プレートとカラーとの間に配置する密封要素を使用可能になる。これは、単純で安価な密封体であるＯリングを使用可能にする。プレートにより、確実にバネとの接触が起こらず、その結果Ｏリングを損傷する危険性を回避できる。
【００３７】
更なる実施形態によれば、本発明によるシステムは、ピンは頭部を有し、外側位置において、頭部は外面を有し、その外面がハウジングの外面から突出する点、及び油圧が所定レベルを下回り、その結果頭部の外面がハウジングの外面と面一になる、内側位置において、頭部は下面を有し、下面は穴内のカラーに対して圧迫する点で、特徴的である。ピンは２外側位置を有し、その片方位置では、頭部をハウジングの外面より外側に出すので、圧力が所定レベルを超えていることの明確且つ単純な表示となる。漏油の場合には、頭部が、ハウジングに埋め込まれて、ハウジングの外面と面一となり、漏油／圧力低下の発生を示す明白且つ単純な視覚的信号を提供する。
【００３８】
更なる実施形態によれば、本発明によるシステムは、ピンを電子センサ、例えば誘導センサと接続し、該センサを、ピンが外側位置を離れると、信号を発するように構成する点で、特徴的である。ピンの外側位置からピンが変位したことを、電子的に検知してもよく、漏油状態に関する信号を、求めに応じてエンジン又は制御室内の任意の場所に提供してもよい。本システムを、圧力が所定のレベルを超えると、ピンが必ず完全に外に出るように構成する。例えば、事前に圧力を３０バールに設定すると、常に圧力３０バール超でピンが突出し、圧力が低くなる、例えば２５バールになると、運動が噴射器からの圧力ピークに続いて起こるので、ピンが突出した状態で、出入りする。
【００３９】
更なる実施形態によると、本発明によるシステムは、漏油検知器が、接続管に設け、圧力が所定レベルを下回ると信号を発するように構成した圧力スイッチを含む点で、特徴的である。バネ付ピンを有する機械的解決手段の代わりに、圧力スイッチを機械的可動部品と置き換えた電子システムを、適用してもよい。これにより圧力低下を電子的に検知してもよく、漏油状態に対する信号を、求めに応じてエンジン又は制御室内の任意の場所に提供してもよい。
【００４０】
更なる実施形態によると、本発明によるシステムは、漏油検知器を潤滑装置と一体に形成する点で、特徴的である。これにより、オペレータが潤滑装置によって、漏油が１つ又は複数のシステム装置で発生したかが分かる、単純な設計を提供する。
【００４１】
更なる実施形態によると、本発明によるシステムは、漏油検知器をシステム装置、好適には噴射器と一体に形成する点で、特徴的である。これにより、オペレータに、各システム装置／噴射器で直接的に起こり得る漏油／圧力低下についての信号を提供する、単純な設計も達成できる。
【００４２】
更なる実施形態によると、本発明によるシステムは、漏油検知器のハウジングを、貫通ダクトを持つ横走部と、ステム内にネジ穴によって形成するチャンバを含むステムとを有するＴ字型部品によって、形成する点、及び該穴を、バネ付ピンを取付ける内穴を有するネジ栓によって密封する点で、特徴的である。この設計は、作製し易く、接続管の任意の位置で、又は噴射器／アキュムレータ若しくは潤滑装置への接続管取付部と直接接続して、挿入するのに適する。接続管、噴射器／アキュムレータの形をしたシステム装置、及び／又は潤滑装置を、横走部と接続する。様々な圧力に適合させる場合に、栓や栓中のバネ付ピンを、容易に取替えられる。これにより、少数の要素となり在庫管理が簡素化できる。
【００４３】
更なる実施形態によると、本発明によるシステムは、油圧システムが、好適には、集中潤滑装置を構成し、噴射器の形で噴射器に潤滑油を供給するシステム装置、及び油を噴射器に供給する集中アキュムレータ又は分散アキュムレータの形をしたシステム装置と接続する集中ポンプステーションを含む点で、特徴的である。
【００４４】
更なる実施形態によると、本発明によるシステムは、該システムが、アキュムレータの形をしたシステム装置と接続するポンプステーションを含む点、及びアキュムレータを、圧力供給ラインと接続して、油投入の実施を、比較的均一な圧力条件下で達成する点で、特徴的である。かかるシステムでは、アキュムレータから使用場所までの圧力供給ラインに漏油検知器を取付けることによって、アキュムレータが供給する圧力を監視できるようになる。
【００４５】
以下では、本発明について、図面を参照して詳細に説明する。
【図面の簡単な説明】
【００４６】
【図１】本発明による油圧システムが、集中潤滑システムの形をとっている第１実施形態の部分図を示している。
【図２】本発明による集中潤滑システムの第２実施形態の部分図を示している。
【図３】本発明による集中潤滑システムの第３実施形態の部分図を示している。
【図４】図３に示した漏油インジケータの拡大詳細図を示している。
【図５】漏油検知器の詳細断面図を示している。
【図６】集中アキュムレータを使用する集中ポンプステーションの形をした集中潤滑給油部と共に、集中潤滑システムを伴う油圧システムの更なる実施形態に関する模式図を示している。
【図７】漏油検知器の別な実施形態の部分図を示している。
【図８】漏油検知器の別な実施形態の部分図を示している。
【図９】関連アキュムレータを有するポンプ装置の形をした本発明による油圧システムの第１実施形態の部分図を示している。
【発明を実施するための形態】
【００４７】
図１、図２及び図３では、潤滑装置１１を示している。図示した潤滑装置は、箱形の装置ハウジング１５を有し、該ハウジングは、前壁１６で一連の往復ポンプ装置８（１つのみ図示）を担持している。該装置には、潤滑油用下側流入口を持つ弁ハウジング１７と、ハウジング１５内に突出するピストン１８を収容する中間部と、そうして形成された往復ポンプ用上側流出口３１とを有する。流出口３１を、流れインジケータ１９及びプレート３２内の流路３０を介して上側接続スタブ２０に接続する。これらのスタブの全列から、接続管は、関連するエンジンシリンダの潤滑箇所、例えば６〜２４箇所まで出ている。
【００４８】
エンジンのクランクシャフトと同期して回転させ、装置ハウジング１５内の軸受ケースに着座させる貫通制御シャフト２２の作動タペット２１によって、押込むように、ピストン１８を作動する。ピストンを直接作動させず、各ロッカアーム２４のスラストパッド２３を介して作動させ、該ロッカアーム２４は、偏心端支軸２６を伴う固定支軸２５周りに枢動し、前壁１６から内方に突出する各止めネジ２８と先端部で相互作用する上方延伸部２７を有する。ピストン１８を、スラストパッド２３に逆らい内方にバネ負荷し、それにより各上側アーム端部が止めネジ２８に当接するまで、ピストン１８が内方に押圧し続ける。これにより、各ポンプ装置に対して、初期位置を決定し、該位置から各スラストパッド２３を、関連作動タペット２１の通過時に、外方に押圧する。
【００４９】
図１では、漏油インジケータ１０を、スタブ２０と、ポンプ装置８を噴射器１３と接続する接続管１２との間の位置で示しており、該噴射器１３を、シリンダ内部にシリンダ潤滑油２９を供給するために、シリンダ壁１４内に設ける。
【００５０】
図２では、漏油インジケータ１０を、接続管１２を漏油インジケータと接続するように配置した際の、噴射器１３の一部として示している。
【００５１】
図３では、漏油インジケータ１０を、潤滑装置の一部として示しており、前壁１９の前のプレート３２に設けている。これは、図４として示した小部分図から、一層はっきりと見てとれる。流路３０が漏油インジケータ１０と接触しているのが見てとれる。
【００５２】
図５は、漏油インジケータ１０の詳細断面図を示している。これは、漏油の可能性を監視するための単純な解決手段であり、インジケータピン２を内部に取付けるハウジング１を含む。バネ５を、インジケータピン２上に設ける。ピンの前にあるチャンバ９内の圧力が、バネのプレストレス圧力を超えると、ピンは、図５に示した位置からハウジングの外に押出される。
【００５３】
ピン２の前にあるチャンバ９内の圧力が、所定の圧力より低い値まで低下した場合、ピンは、図５で示した、初期位置に戻る。その結果、ユーザは目視によりこれを確認できる。加圧したチャンバ９を密封するために、Ｏリング３を、ピン２とバネ５を設ける穴３３との間に使用する。Ｏリング３を、ピン２の長手方向運動に対応するのにより好適なピストンパッキンで置換できる。
【００５４】
漏油インジケータ１０を、ネジ穴３５を有するＴ字型部品３４で形成する。ネジ栓３６を該部品に螺着する。栓３６には、内穴、即ちピンを取付ける穴６がある。カラー３７を、穴６内に設けるが、チャンバ９の圧力が予め選択した圧力を下回ると、ピン２の内側位置で、該カラーの片側で、ピン２の頭部３８に対する当接部を形成するようにして、設ける。これにより、頭部の外面３９は、ハウジングの外面４０と面一となる。圧力が、選択した値を超えて上昇すると、ピンは、図５で見られるように左側に変位し、頭部は、ハウジングの外面４０を超えて位置する。
【００５５】
図示した実施形態では、解決手段は、２個のワッシャ６と係止リング４を備える。従って、バネ５は、片方のワッシャ６を介して係止リング上に支えられ、他方ワッシャ６とＯリング３を介してカラー３７上に支えられる。設定圧力を設定する場合、係止ワッシャをネジで置換えでき、その結果ピン２は、ネジを受容するネジ穴を備える。
【００５６】
上記の代わりとして、各装置を、ピン２に関して直接、例えば誘導センサを介して、又は圧力が低くなり過ぎると信号を発する圧力スイッチによって、検知する電子監視装置と嵌合させることもできる。その場合、圧力スイッチは、ピン、Ｏリング、ワッシャ及び係止リングと置換えられる。
【００５７】
図６では、潤滑油を、ポンプステーションからアキュムレータを介してシリンダの噴射器に供給する実施形態について示している。本システムがポンプステーション２０１を含んでいるのが見てとれる。シリンダ潤滑油を、加圧下でポンプステーション２０１から、エンジン２３２内の５シリンダ２０５に沿って走る供給ライン２３１を通り、エンジン２０６の端にある圧力弁２０２に導く。余分な潤滑油を、平行な返送ライン２３３を通してポンプステーションに導く。これにより、ポンプのエネルギを、供給ライン２３１と返送ライン２３３中の潤滑油の熱に変換して、確実に合理的に供給ラインと返送ライン中の油温を一定に保ち、油が部分的に過熱するのを防止する。ポンプステーション２０１に油を、供給ライン２３４を通して供給する。ポンプ装置２０１では、給油用集中アキュムレータ１００を、ポンプ装置２０１から直接給送する代わりに、使用する。集中アキュムレータ１００を使用することによって、特に安全な方法で、発生し得る圧力変動を均等化可能になる。その結果、圧力はより均一になり、それと同時に、潤滑油の供給量を一層簡単に制御できるようになる。漏油検知器１０を、アキュムレータ１００と接続して本システム内に設ける。
【００５８】
動作中のシステムでは、アキュムレータ１００及び／又は１０１により確実に、サージを圧力供給ライン２３１において抑制して、潤滑油投入の実施を、比較的均一な条件下で達成するようにする。アキュムレータの、例えば保守を怠ったために又は欠陥のために、経時的にアキュムレータの供給圧が下がった場合、油圧系統は、個々の開閉弁装置２０３に対する供給ライン２３１の著しい圧力変動に反応する。次に、圧力変動が設定値を下回ると、漏油インジケータ１０は、例えば、システム圧力の１５〜２０％の圧力に漏油インジケータを設定することによって、反応する。システム圧力に基づくということは、非作動時には供給ラインでは圧力が一定であることを意味する。
【００５９】
ポンプステーション１は、２個のポンプ２１１と、２つのフィルタ２１２と、潤滑油が静置ポンプ２１１を通り戻るのを防ぐ２個の逆止弁２１３を含む。また、ポンプステーションは、動作中にフィルタ２１２を掃除できるように、供給ライン２３４に挿入する２個の遮断弁２１４も含む。２個のポンプ２１１は、互いに対して予備となり、油圧が低下した場合に自動的に始動する。
【００６０】
供給ライン２３１と返送ライン２３３に対して、各エンジンシリンダ２０５に関して、開閉バルブ装置２０３を存在させ、該開閉バルブ装置２０３は、分岐ライン２１５を介して供給ライン２３１と接続するポートＰ、及び分岐ライン２１６を介して返送ライン２３３と接続するポートＲを有する。各開閉バルブ装置２０３は、共通管２０８を通して、シリンダ２０５に取付けた多数の潤滑油噴射器２０６と接続するポートＡを、有する。共通管２０８を、噴射器の返送ラインと接続する。噴射器２０６に、供給ライン２３１から、体積流量計２０４を取付けた分岐ライン２０７を通して、エンジンシリンダ２０５に噴射する潤滑油を、供給する。
【００６１】
また、図６では、本発明によるシステムの更なる実施形態について、点線で示しており、ここでは、局所的なアキュムレータ１０１を図示している。この実施形態では、従って通常、集中アキュムレータ１００はないが、それでも集中潤滑給油部２０１は存在する。局所アキュムレータ１０１を、供給ライン２３１と噴射器２０６との間の分岐ライン２０７に配置する。局所アキュムレータ１０１を、体積流量計２０４の直ぐ前に示しているが、その代わりに、体積流量計２０４の直ぐ後に配置してもよい。１個の局所アキュムレータ１０１を、シリンダ毎に示している。
【００６２】
図６では、制御装置が受信するフィードバック信号の例、及び制御装置から送信した信号及びデータの例を示している。
【００６３】
図７では、誘導センサ９０を、ピン２上方のハウジング９１内に、取付けて設けた漏油インジケータ１０を示している。誘導センサ９０を、ピン２の位置を検知し、圧力が下がり過ぎた結果として、ピンがその外側位置を離れると、信号を発するように構成する。これにより、監視を、センサ９０からの信号に基づいて電子的に達成できる。
【００６４】
図８は、圧力スイッチ９５を栓３６に取付けた漏油インジケータ１０を示している。これにより、機械的可動部品の代わりに圧力スイッチ９５を使用する電子システムを、獲得できる。圧力スイッチを、圧力が低くなり過ぎると、信号を提供するように構成する。それにより、監視を、圧力スイッチ９５からの信号に基づいて電子的に達成できる。
【００６５】
図９では、アキュムレータ１００を使用する油圧システムに関する実施形態について、示している。同システムはポンプステーション２０１を含むことが見てとれる。シリンダ潤滑油を、加圧下で、ポンプステーション２０１から供給ライン２３１を通して所与の消費部へと導く。余分な潤滑油を、平行な返送ライン２３３を通してポンプステーション２０１に導く。ポンプステーション２０１では、使用位置に直接給送する代わりに、給油用集中アキュムレータ１００を使用する。このアキュムレータ１００を使用することによって、特に安全な方法で、起こり得る圧力変動を均等化可能になる。その結果、圧力はより均一になる。漏油検知器１０を、アキュムレータ１００と接続してシステム内に設ける。漏油インジケータ１０を、消費箇所への接続ライン、即ち供給ライン２３１に設ける。
【００６６】
ポンプステーション２０１は、２個のポンプ２１１、２つのフィルタ２１２、静置ポンプ２１１を通り油が戻るのを防ぐ２個の逆止弁２１３を含む。更に、同システムは、供給ライン２３１内の圧力を調節可能にする調圧弁２０２を含む。
【００６７】
アキュムレータと接続して、漏油検知器１０を取付けて、これを、供給ライン２３１内の圧力変動が、所望するものより大きくなる、例えば、圧力が、（消費なしで）ライン圧力の６０〜８０％より下がると、漏油検知器１０が、その状態を示す信号を発するように、設定できる。
【図１】
2013531163.tif 000003
【図２】
2013531163.tif 000004
【図３】
2013531163.tif 000005
【図４】
2013531163.tif 000006
【図５】
2013531163.tif 000007
【図６】
2013531163.tif 000008
【図７】
2013531163.tif 000009
【図８】
2013531163.tif 000010
【図９】
2013531163.tif 000011
【手続補正書】
【提出日】平成24年4月4日(2012.4.4)
【手続補正１】
【補正対象書類名】明細書
【補正対象項目名】全文
【補正方法】変更
【補正の内容】
【発明の詳細な説明】
【技術分野】
【０００１】
本発明は、油を加圧下で各接続管を通して、様々な被潤滑箇所に適切な時間間隔で、供給する部分によって油噴射することにより、大型ディーゼルエンジン、特にマリンエンジンのエンジンシリンダをシリンダ潤滑するための、噴射器及び潤滑装置と共に設計する集中潤滑システムであり、接続管を介して、噴射器及びアキュムレータの中から選択する関連システム装置と接続する、少なくとも１個のポンプ装置を含む集中潤滑システムに関する。
【０００２】
本願で使用する用語「システム装置」は、ポンプと接続する油圧装置を意味する。該システム装置を、ポンプから油を噴射するのに使用する噴射器としてもよく、又は、次に油を略一定の圧力で給送するために圧力変動を均等化する目的でポンプに接続するアキュムレータとしてもよい。本発明による集中潤滑システムでは、噴射器とアキュムレータ両方を使用する場合、噴射器にだけでなくアキュムレータにも、漏油検知器を使用してもよい。
【背景技術】
【０００３】
主に大型２ストロークディーゼルエンジン用の、従来の集中シリンダ潤滑装置では、２つ以上の集中潤滑装置を使用し、各装置により、単一又は複数のシリンダにおける数カ所で、即ち、油を加圧下で、各接続ラインを通して、様々な被潤滑箇所へ適切な間隔で供給する部分毎に、潤滑する。例えば欧州特許第０６７８１５２号を参照されたい。
【０００４】
伝統的に、各シリンダと密接に関連した状態で取付け、潤滑油用供給槽と接続する多数のポンプ装置と、シリンダ壁の異なる箇所に、油噴射ノズルの形をした噴射器とを伴い、潤滑装置を設計している。
【０００５】
各ポンプ装置は、往復ポンプを含み、該ポンプは、噴射器に油を供給し、共通回転制御シャフトによって、カムを該シャフトに設けた状態で、駆動される。シャフトの回転によって、押圧ヘッド付きカムは其々、制御シャフトに向かう方向にバネ付勢した軸方向に変位するピストンに作用し、その結果シャフトが回転する際のピストンが、往復ポンプのピストンを作動する往復運動を行う。
【０００６】
長年、潤滑装置は、往復ポンプからの吐出圧をそれ程高くしなくても済む条件下で動作してきた。通常、潤滑油の噴射は、圧力１０〜１５バールで行われる。エンジンピストンが上方に復帰ストロークする際中、即ち圧縮行程中に、しかしながら、点火燃焼による次の動力ストローク前に、油をシリンダ内に噴射するのが、通例であった。このシステムは、通常、逆止弁ベースの弁噴射を伴う噴射器を含むものであった。
【０００７】
近年では、ピストンが上方向に運動中にオイルミスト潤滑できる加圧噴霧ノズルの形をした噴射器を通して、油を噴射することによって、潤滑の効率を高めることが、提案されている。しかしながら、同提案では、確実に噴霧ノズルを通して微細噴霧するために、油を極めて高圧、例えば、２５バール以上に加圧する。システムによっては、最大１００バールまで加圧することもある。
【０００８】
また、近年では、電子ディーゼルエンジンが大いに生産されており、そうしたエンジンでは、機械的潤滑装置を駆動するのに従来使用されてきた機械的駆動部を、取除く傾向がある。
【０００９】
従って、噴射器は、本願で述べたように、油噴射ノズル及び／又は加圧噴霧ノズルを含んでいる。
【００１０】
両システムでは、制御シャフトを、エンジンのクランクシャフトとの直接又は間接的な機械的結合によって駆動し、それによってポンプを作動させる動力を提供可能になると同時に、エンジンのクランクシャフトと潤滑装置の制御シャフトとが連動可能になる。
【００１１】
潤滑装置は、例えば、箱形の装置ハウジングを含むことがあり、該ハウジングから接続管が、例えば６〜２４箇所の、関連エンジンシリンダの潤滑箇所まで延在する。
【００１２】
伝統的には、ピストンを、エンジンのクランクシャフトと連動して回転する貫通制御シャフトの作動カム／ロッカアームによって動作させる。ピストンを、作動カムに向けてバネ付勢する。関連する作動カムの極限位置を規定する止めネジが設けてあり、止めネジを、ピストンの個々の動作ストロークを決定し、それにより個々のピストンポンプの関連収量を決定するように、作用させることもある。潤滑装置の実施例については、欧州特許第１３９０６０号に開示されており、同特許では、潤滑装置の動作に関するより詳細な記述がなされている。
【００１３】
従って、今日では、潤滑油を大型の２ストロールディーゼルエンジンに低圧で供給するのに従来使用してきた逆止弁より、比較的高圧で動作する噴射器が用いられている。動作圧が高い噴射器の例としては、ＷＯ特許第００２８１９４号による噴射器、又は欧州特許第１３５０９２９号による噴射器がある。
【００１４】
低圧のシステムと高圧のシステム両方に関しては、潤滑油を供給する際の圧力は大幅に変動するものの、特に、動作圧が高い噴射器に関しては、噴射器において許容できない漏れの有無を明確に規定する許容可能な最低圧力を規定するのが比較的容易である。
【００１５】
通常の動作中、例えば、噴射器に埃が侵入した場合に、噴射器が漏油して、全ての噴射器により問題が発生することがある。今日では、身近に漏油を検知する方法はない。噴射器が作動していれば、エンジンは運転中であり、エンジンを視覚的に「調べて」、漏油している噴射器を発見することは、不可能である。実験室では、漏油している噴射器の有無を確認する方法の１つとして、噴射器に対する潤滑油供給部の圧力を監視する方法がある。この解決方法を、エンジン全体に直ちに移し換えることはできない、というのもそれが圧力センサを、各潤滑油供給部に取付けることを意味するためである。これは、高価であるだけでなく、全てのセンサを監視し、１つ又は複数の噴射器の圧力が所定レベルより下がると、アラームをトリガする制御装置の構築も必要とする。
【００１６】
連続的に、且つエンジンの運転中に、１つ又は複数の噴射器が漏油しているのを確認できれば、有利である。
【００１７】
従って、１つ又は複数の噴射器が漏油しているかを確認するために、エンジンの運転中に連続的に漏油を監視可能にするシステムに対するニーズが存在する。
【００１８】
集中シリンダ潤滑システムによっては、アキュムレータを含むものもある。略一定圧力で潤滑油を次に供給するために圧力変動を均等化する目的で、アキュムレータを、ポンプに接続する。また、これらのシステムでは、圧力を、予め規定した、許容可能な最低圧力以上に保ち、それにより確実に、潤滑油を正確にシリンダに供給することも、重要となる。
【００１９】
アキュムレータを使用するシステム全てに関して、通常動作中に漏油が発生する可能性がある。漏油は、アキュムレータで発生する場合もある。先行技術のシステムでは、アキュムレータで、経時的に供給圧が緩むかも知れない。そのため、アキュムレータに対しては、一定期間毎に、保守点検が設定される。実際に取付けることで供給圧を変化させる虞がある幾つかの追加機器を取付ける必要なく、供給圧が正常かを点検することはできない。原理的に、これは、圧力を測定するのに、バルーン内部にセンサを配置する必要があり、かかるセンサは、圧力を変化させる虞なしに配置するのが難しいという点で、バルーン内で圧力を測定することと同じである。一般的に、ポンプからの圧力差を均等化する形で、アキュムレータが機能しているかを確認するのは困難である。
【００２０】
アキュムレータの圧力が、漏油のためにガス側で極めて低くなると、接続管の圧力は、圧力差を均等化できず、接続ラインにサージが発生する。
【００２１】
言及した保守／点検までの間に―次の点検まで―短時間であれ、長時間であれ、潤滑油の容認できない低圧に繋がり得る漏油が、発生するかも知れない。そのため、確実に、連続的にかかるシステムにおける漏油を監視する必要がある。
【００２２】
ＷＯ特許第０１９８６３８号から、接続管を介してアキュムレータと接続し、更なる接続管を介して噴射器と接続するポンプを含む、シリンダ潤滑用システムが知られている。圧力センサを、アキュムレータと接続して設けている。圧力センサを、ポンプ圧を調節するために、低圧で信号を発するように構成している。アナログ信号を、調節を行うために、使用している。圧力は可変で、システム圧力とポンプ用最大圧力の間で任意のレベルにすることができる。システム装置における漏油に関する記載はない。
【００２３】
ＷＯ特許第２００８／１２２７５６号から、給油ラインを介してターボチャージャの軸受に潤滑するのに使用する油圧システムが、知られている。例えば、ターボチャージャの油圧を監視するセンサについて、開示している。同システムを、軸受に一定の給油をするのに使用し、且つ動作条件が所定の限界に来る又は超えると、給油を停止するのに使用する。同システムは、軸受における漏油のために軸受を油が通過してしまうのに対応して、更なる油を連続的に添加するという、一定圧力の原理に基づいており、それにより軸受を潤滑すると同時に冷却する。システム装置における漏油に関する記載はない。
【発明の概要】
【発明が解決しようとする課題】
【００２４】
本発明の目的は、上記の欠点を解消すること、及び漏油や圧力低下を監視するための、極めて信頼でき、技術的に単純で安価なシステムであって、噴射器及び／又はアキュムレータの形をした１つ又は複数のシステム装置が漏油している、或いは噴射圧が低下した動作状態にあるかを確認するために、システム／エンジンの運転中に漏油を連続的に監視可能にするシステムを示すことである。
【課題を解決するための手段】
【００２５】
本発明によると、これを、導入部で述べた種類の集中潤滑システムによって達成するが、そのシステムは、漏油検知器を、そのシステム内に設ける点、好適にはポンプ装置と関連システム装置との間の接続管に設ける点、及び漏油検知器を、接続管の油圧が所定レベルを下回ると信号を発するように構成する点で、特徴的である。
【００２６】
本発明による集中潤滑システムでは、噴射器とアキュムレータの両方を使用する場合、漏油検知器を、噴射器にだけでなく、アキュムレータにも使用してもよい。
【００２７】
噴射器の漏油によって、接続管の圧力が低下し、その結果圧力が所定レベルを下回ると漏油検知器が信号を発する。
【００２８】
また、漏油検知器の使用を、集中ポンプと１個又は複数のアキュムレータを使用するシステムにも適用してもよい。この原理を、アキュムレータにおいて漏油を検知するのに、即ちアキュムレータの供給圧に関する不測の低下を検知するのに使用できる。
【００２９】
アキュムレータ用に、アキュムレータのガス側で監視するため、即ち供給圧を監視するために取付けできるセンサを存在させるが、本発明によれば加圧側、即ちアキュムレータ前の液側に、漏油検知器を、圧力ライン／接続管の圧力を監視するために取付けできる。アキュムレータで、異常又は保守不足のために供給圧が緩くなりつつある場合、圧力ラインのサージは著しく変動するため、これを漏油検知器で検知できる。
【００３０】
アキュムレータでの漏油によって、起こり得る漏油の兆しを、アキュムレータの液側で圧力を記録することで得られる。これにより、アキュムレータのガス側の事前供給圧（ｐｒｅｆｅｅｄｉｎｇ  ｐｒｅｓｓｕｒｅ）が正常かを点検可能になる。本発明によると、漏油検知器を、液側に配置し、供給ラインの圧力が許容範囲外に変動しているか否かを監視する。
【００３１】
極めて単純な形では、漏油検知器を、信号を視覚信号とする機械的装置とすることができる。しかしながら、別のバージョンでは、漏油検知器を、電子式とし、漏油検知器は、音響信号又は光信号を発することができる。所定圧力を、通常動作圧にあるレベルによって決定する。圧力が所定圧力を下回った場合に信号を発することで、漏油がシステムで発生していることを表す。これにより、極めて単純で信頼できる監視を確立でき、システムの動作中、例えばエンジンが運転中に、漏油検知器を見ることができる。
【００３２】
特別な実施形態によれば、本発明によるシステムは、漏油検知器が、接続管と接続するチャンバを有するハウジングを含む点、バネ付ピンを、ハウジングの壁を貫通する穴に取付ける点、密封要素を、ピンと穴との間に配置する点、油圧がバネからの力を超えると、ピンを、チャンバ内の油圧によって外方に、外側位置に押圧する点が、特徴的である。
【００３３】
基本概念は、本明細書では、純粋に機械的且つバネ式の解決手段を有する点である。バネを適切に選択することで、ピン前のチャンバ内圧力が、油圧に関する最小圧力として典型的に選択した所定の圧力を下回るかを、バネ付ピンの位置により示す。つまり、圧力が低下した場合には、ピンが外側位置に留まらない。これにより、圧力が低下したという直接的な視覚信号を提供する。
【００３４】
更なる実施形態によると、本発明によるシステムは、チャンバ内でピンの端部に、バネの片端部に対する支持体となる係止リングを備える点、及びバネの他端部は、穴内のカラーに対して圧迫する点で、特徴的である。漏油検知器を、ピン及びバネによって形成するので、動作は一定の圧力で起こる。所定圧力を調節したい場合、係止ワッシャを、ネジ及びネジ穴を備えるピンで置換できる。これにより、バネ長や、その結果バネに関して確立するプレストレスを調節してもよい。
【００３５】
更なる実施形態によると、本発明によるシステムは、バネと係止リングとの間に、プレートを設ける点、及びバネとカラーとの間に、プレートと密封要素を設ける点で、特徴的である。これにより、しっかりとした当接面を、バネに関して獲得できると同時に、プレートとカラーとの間に配置する密封要素を使用可能になる。これは、単純で安価な密封体であるＯリングを使用可能にする。プレートにより、確実にバネとの接触が起こらず、その結果Ｏリングを損傷する危険性を回避できる。
【００３６】
更なる実施形態によれば、本発明によるシステムは、ピンは頭部を有し、外側位置において、頭部は外面を有し、その外面がハウジングの外面から突出する点、及び油圧が所定レベルを下回り、その結果頭部の外面がハウジングの外面と面一になる、内側位置において、頭部は下面を有し、下面は穴内のカラーに対して圧迫する点で、特徴的である。ピンは２外側位置を有し、その片方位置では、頭部をハウジングの外面より外側に出すので、圧力が所定レベルを超えていることの明確且つ単純な表示となる。漏油の場合には、頭部が、ハウジングに埋め込まれて、ハウジングの外面と面一となり、漏油／圧力低下の発生を示す明白且つ単純な視覚的信号を提供する。
【００３７】
更なる実施形態によれば、本発明によるシステムは、ピンを電子センサ、例えば誘導センサと接続し、該センサを、ピンが外側位置を離れると、信号を発するように構成する点で、特徴的である。ピンの外側位置からピンが変位したことを、電子的に検知してもよく、漏油状態に関する信号を、求めに応じてエンジン又は制御室内の任意の場所に提供してもよい。本システムを、圧力が所定のレベルを超えると、ピンが必ず完全に外に出るように構成する。例えば、事前に圧力を３０バールに設定すると、常に圧力３０バール超でピンが突出し、圧力が低くなる、例えば２５バールになると、運動が噴射器からの圧力ピークに続いて起こるので、ピンが突出した状態で、出入りする。
【００３８】
更なる実施形態によると、本発明によるシステムは、漏油検知器が、接続管に設け、圧力が所定レベルを下回ると信号を発するように構成した圧力スイッチを含む点で、特徴的である。バネ付ピンを有する機械的解決手段の代わりに、圧力スイッチを機械的可動部品と置き換えた電子システムを、適用してもよい。これにより圧力低下を電子的に検知してもよく、漏油状態に対する信号を、求めに応じてエンジン又は制御室内の任意の場所に提供してもよい。
【００３９】
更なる実施形態によると、本発明によるシステムは、漏油検知器を潤滑装置と一体に形成する点で、特徴的である。これにより、オペレータが潤滑装置によって、漏油が１つ又は複数のシステム装置で発生したかが分かる、単純な設計を提供する。
【００４０】
更なる実施形態によると、本発明によるシステムは、漏油検知器をシステム装置、好適には噴射器と一体に形成する点で、特徴的である。これにより、オペレータに、各システム装置／噴射器で直接的に起こり得る漏油／圧力低下についての信号を提供する、単純な設計も達成できる。
【００４１】
更なる実施形態によると、本発明によるシステムは、漏油検知器のハウジングを、貫通ダクトを持つ横走部と、ステム内にネジ穴によって形成するチャンバを含むステムとを有するＴ字型部品によって、形成する点、及び該穴を、バネ付ピンを取付ける内穴を有するネジ栓によって密封する点で、特徴的である。この設計は、作製し易く、接続管の任意の位置で、又は噴射器／アキュムレータ若しくは潤滑装置への接続管取付部と直接接続して、挿入するのに適する。接続管、噴射器／アキュムレータの形をしたシステム装置、及び／又は潤滑装置を、横走部と接続する。様々な圧力に適合させる場合に、栓や栓中のバネ付ピンを、容易に取替えられる。これにより、少数の要素となり在庫管理が簡素化できる。
【００４２】
更なる実施形態によると、本発明によるシステムは、集中潤滑システムが、好適には、集中潤滑装置を構成し、噴射器の形で噴射器に潤滑油を供給するシステム装置、及び油を噴射器に供給する集中アキュムレータ又は分散アキュムレータの形をしたシステム装置と接続する集中ポンプステーションを含む点で、特徴的である。
【００４３】
更なる実施形態によると、本発明によるシステムは、該システムが、アキュムレータの形をしたシステム装置と接続するポンプステーションを含む点、及びアキュムレータを、圧力供給ラインと接続して、油投入の実施を、比較的均一な圧力条件下で達成する点で、特徴的である。かかるシステムでは、アキュムレータから使用場所までの圧力供給ラインに漏油検知器を取付けることによって、アキュムレータが供給する圧力を監視できるようになる。
【００４４】
以下では、本発明について、図面を参照して詳細に説明する。
【図面の簡単な説明】
【００４５】
【図１】本発明による集中潤滑システムの第１実施形態の部分図を示している。
【図２】本発明による集中潤滑システムの第２実施形態の部分図を示している。
【図３】本発明による集中潤滑システムの第３実施形態の部分図を示している。
【図４】図３に示した漏油インジケータの拡大詳細図を示している。
【図５】漏油検知器の詳細断面図を示している。
【図６】集中アキュムレータを使用する集中ポンプステーションの形をした集中潤滑給油部と共に、集中潤滑システムの更なる実施形態に関する模式図を示している。
【図７】漏油検知器の別な実施形態の部分図を示している。
【図８】漏油検知器の別な実施形態の部分図を示している。
【図９】関連アキュムレータを有するポンプ装置の形をした本発明による集中潤滑システムの第１実施形態の部分図を示している。
【発明を実施するための形態】
【００４６】
図１、図２及び図３では、潤滑装置１１を示している。図示した潤滑装置は、箱形の装置ハウジング１５を有し、該ハウジングは、前壁１６で一連の往復ポンプ装置８（１つのみ図示）を担持している。該装置には、潤滑油用下側流入口を持つ弁ハウジング１７と、ハウジング１５内に突出するピストン１８を収容する中間部と、そうして形成された往復ポンプ用上側流出口３１とを有する。流出口３１を、流れインジケータ１９及びプレート３２内の流路３０を介して上側接続スタブ２０に接続する。これらのスタブの全列から、接続管は、関連するエンジンシリンダの潤滑箇所、例えば６〜２４箇所まで出ている。
【００４７】
エンジンのクランクシャフトと同期して回転させ、装置ハウジング１５内の軸受ケースに着座させる貫通制御シャフト２２の作動タペット２１によって、押込むように、ピストン１８を作動する。ピストンを直接作動させず、各ロッカアーム２４のスラストパッド２３を介して作動させ、該ロッカアーム２４は、偏心端支軸２６を伴う固定支軸２５周りに枢動し、前壁１６から内方に突出する各止めネジ２８と先端部で相互作用する上方延伸部２７を有する。ピストン１８を、スラストパッド２３に逆らい内方にバネ負荷し、それにより各上側アーム端部が止めネジ２８に当接するまで、ピストン１８が内方に押圧し続ける。これにより、各ポンプ装置に対して、初期位置を決定し、該位置から各スラストパッド２３を、関連作動タペット２１の通過時に、外方に押圧する。
【００４８】
図１では、漏油インジケータ１０を、スタブ２０と、ポンプ装置８を噴射器１３と接続する接続管１２との間の位置で示しており、該噴射器１３を、シリンダ内部にシリンダ潤滑油２９を供給するために、シリンダ壁１４内に設ける。
【００４９】
図２では、漏油インジケータ１０を、接続管１２を漏油インジケータと接続するように配置した際の、噴射器１３の一部として示している。
【００５０】
図３では、漏油インジケータ１０を、潤滑装置の一部として示しており、前壁１９の前のプレート３２に設けている。これは、図４として示した小部分図から、一層はっきりと見てとれる。流路３０が漏油インジケータ１０と接触しているのが見てとれる。
【００５１】
図５は、漏油インジケータ１０の詳細断面図を示している。これは、漏油の可能性を監視するための単純な解決手段であり、インジケータピン２を内部に取付けるハウジング１を含む。バネ５を、インジケータピン２上に設ける。ピンの前にあるチャンバ９内の圧力が、バネのプレストレス圧力を超えると、ピンは、図５に示した位置からハウジングの外に押出される。
【００５２】
ピン２の前にあるチャンバ９内の圧力が、所定の圧力より低い値まで低下した場合、ピンは、図５で示した、初期位置に戻る。その結果、ユーザは目視によりこれを確認できる。加圧したチャンバ９を密封するために、Ｏリング３を、ピン２とバネ５を設ける穴３３との間に使用する。Ｏリング３を、ピン２の長手方向運動に対応するのにより好適なピストンパッキンで置換できる。
【００５３】
漏油インジケータ１０を、ネジ穴３５を有するＴ字型部品３４で形成する。ネジ栓３６を該部品に螺着する。栓３６には、内穴、即ちピンを取付ける穴６がある。カラー３７を、穴６内に設けるが、チャンバ９の圧力が予め選択した圧力を下回ると、ピン２の内側位置で、該カラーの片側で、ピン２の頭部３８に対する当接部を形成するようにして、設ける。これにより、頭部の外面３９は、ハウジングの外面４０と面一となる。圧力が、選択した値を超えて上昇すると、ピンは、図５で見られるように左側に変位し、頭部は、ハウジングの外面４０を超えて位置する。
【００５４】
図示した実施形態では、解決手段は、２個のワッシャ６と係止リング４を備える。従って、バネ５は、片方のワッシャ６を介して係止リング上に支えられ、他方ワッシャ６とＯリング３を介してカラー３７上に支えられる。設定圧力を設定する場合、係止ワッシャをネジで置換えでき、その結果ピン２は、ネジを受容するネジ穴を備える。
【００５５】
上記の代わりとして、各装置を、ピン２に関して直接、例えば誘導センサを介して、又は圧力が低くなり過ぎると信号を発する圧力スイッチによって、検知する電子監視装置と嵌合させることもできる。その場合、圧力スイッチは、ピン、Ｏリング、ワッシャ及び係止リングと置換えられる。
【００５６】
図６では、潤滑油を、ポンプステーションからアキュムレータを介してシリンダの噴射器に供給する実施形態について示している。本システムがポンプステーション２０１を含んでいるのが見てとれる。シリンダ潤滑油を、加圧下でポンプステーション２０１から、エンジン２３２内の５シリンダ２０５に沿って走る供給ライン２３１を通り、エンジン２０６の端にある圧力弁２０２に導く。余分な潤滑油を、平行な返送ライン２３３を通してポンプステーションに導く。これにより、ポンプのエネルギを、供給ライン２３１と返送ライン２３３中の潤滑油の熱に変換して、確実に合理的に供給ラインと返送ライン中の油温を一定に保ち、油が部分的に過熱するのを防止する。ポンプステーション２０１に油を、供給ライン２３４を通して供給する。ポンプ装置２０１では、給油用集中アキュムレータ１００を、ポンプ装置２０１から直接給送する代わりに、使用する。集中アキュムレータ１００を使用することによって、特に安全な方法で、発生し得る圧力変動を均等化可能になる。その結果、圧力はより均一になり、それと同時に、潤滑油の供給量を一層簡単に制御できるようになる。漏油検知器１０を、アキュムレータ１００と接続して本システム内に設ける。
【００５７】
動作中のシステムでは、アキュムレータ１００及び／又は１０１により確実に、サージを圧力供給ライン２３１において抑制して、潤滑油投入の実施を、比較的均一な条件下で達成するようにする。アキュムレータの、例えば保守を怠ったために又は欠陥のために、経時的にアキュムレータの供給圧が下がった場合、油圧系統は、個々の開閉弁装置２０３に対する供給ライン２３１の著しい圧力変動に反応する。次に、圧力変動が設定値を下回ると、漏油インジケータ１０は、例えば、システム圧力の１５〜２０％の圧力に漏油インジケータを設定することによって、反応する。システム圧力に基づくということは、非作動時には供給ラインでは圧力が一定であることを意味する。
【００５８】
ポンプステーション１は、２個のポンプ２１１と、２つのフィルタ２１２と、潤滑油が静置ポンプ２１１を通り戻るのを防ぐ２個の逆止弁２１３を含む。また、ポンプステーションは、動作中にフィルタ２１２を掃除できるように、供給ライン２３４に挿入する２個の遮断弁２１４も含む。２個のポンプ２１１は、互いに対して予備となり、油圧が低下した場合に自動的に始動する。
【００５９】
供給ライン２３１と返送ライン２３３に対して、各エンジンシリンダ２０５に関して、開閉バルブ装置２０３を存在させ、該開閉バルブ装置２０３は、分岐ライン２１５を介して供給ライン２３１と接続するポートＰ、及び分岐ライン２１６を介して返送ライン２３３と接続するポートＲを有する。各開閉バルブ装置２０３は、共通管２０８を通して、シリンダ２０５に取付けた多数の潤滑油噴射器２０６と接続するポートＡを、有する。共通管２０８を、噴射器の返送ラインと接続する。噴射器２０６に、供給ライン２３１から、体積流量計２０４を取付けた分岐ライン２０７を通して、エンジンシリンダ２０５に噴射する潤滑油を、供給する。
【００６０】
また、図６では、本発明によるシステムの更なる実施形態について、点線で示しており、ここでは、局所的なアキュムレータ１０１を図示している。この実施形態では、従って通常、集中アキュムレータ１００はないが、それでも集中潤滑給油部２０１は存在する。局所アキュムレータ１０１を、供給ライン２３１と噴射器２０６との間の分岐ライン２０７に配置する。局所アキュムレータ１０１を、体積流量計２０４の直ぐ前に示しているが、その代わりに、体積流量計２０４の直ぐ後に配置してもよい。１個の局所アキュムレータ１０１を、シリンダ毎に示している。
【００６１】
図６では、制御装置が受信するフィードバック信号の例、及び制御装置から送信した信号及びデータの例を示している。
【００６２】
図７では、誘導センサ９０を、ピン２上方のハウジング９１内に、取付けて設けた漏油インジケータ１０を示している。誘導センサ９０を、ピン２の位置を検知し、圧力が下がり過ぎた結果として、ピンがその外側位置を離れると、信号を発するように構成する。これにより、監視を、センサ９０からの信号に基づいて電子的に達成できる。
【００６３】
図８は、圧力スイッチ９５を栓３６に取付けた漏油インジケータ１０を示している。これにより、機械的可動部品の代わりに圧力スイッチ９５を使用する電子システムを、獲得できる。圧力スイッチを、圧力が低くなり過ぎると、信号を提供するように構成する。それにより、監視を、圧力スイッチ９５からの信号に基づいて電子的に達成できる。
【００６４】
図９では、アキュムレータ１００を使用する集中潤滑システムに関する実施形態について、示している。同システムはポンプステーション２０１を含むことが見てとれる。シリンダ潤滑油を、加圧下で、ポンプステーション２０１から供給ライン２３１を通して所与の消費部へと導く。余分な潤滑油を、平行な返送ライン２３３を通してポンプステーション２０１に導く。ポンプステーション２０１では、噴射器（ここでは図示せず）に直接給送する代わりに、給油用集中アキュムレータ１００を使用する。このアキュムレータ１００を使用することによって、特に安全な方法で、起こり得る圧力変動を均等化可能になる。その結果、圧力はより均一になる。漏油検知器１０を、アキュムレータ１００と接続してシステム内に設ける。漏油インジケータ１０を、消費箇所への接続ライン、即ち供給ライン２３１に設ける。
【００６５】
ポンプステーション２０１は、２個のポンプ２１１、２つのフィルタ２１２、静置ポンプ２１１を通り油が戻るのを防ぐ２個の逆止弁２１３を含む。更に、同システムは、供給ライン２３１内の圧力を調節可能にする調圧弁２０２を含む。
【００６６】
アキュムレータと接続して、漏油検知器１０を取付けて、これを、供給ライン２３１内の圧力変動が、所望するものより大きくなる、例えば、圧力が、（消費なしで）ライン圧力の６０〜８０％より下がると、漏油検知器１０が、その状態を示す信号を発するように、設定できる。
【手続補正２】
【補正対象書類名】特許請求の範囲
【補正対象項目名】全文
【補正方法】変更
【補正の内容】
【特許請求の範囲】
【請求項１】
油（２９）を加圧下で各接続管（１２、２０７）を通して、様々な被潤滑箇所に適切な時間間隔で供給する部分によって油噴射することにより、大型ディーゼルエンジン、特にマリンエンジンのエンジンシリンダ（２０５）をシリンダ潤滑するための、噴射器（１３、２０６）及び潤滑装置（１１）と共に設計する集中潤滑システムであり、前記接続管（１２、２０７）を介して、噴射器（１３、２０６）及びアキュムレータ（１００、１０１）の中から選択する関連システム装置（１３、２０６；１００、１０１）と接続する、少なくとも１個のポンプ装置（８、２０１）を含む前記システムであって、漏油検知器（１０）を、前記システムに、好適には前記ポンプ装置（８、２０１）と前記関連システム装置（１３、２０６；１００、１０１）との間の前記接続管（１２、２０７）に設けること、及び前記漏油検知器（１０）を、前記接続管の油圧が、所定レベルを下回ると信号を発するように適合させることを特徴とする、集中潤滑システム。
【請求項２】
前記漏油検知器（１０）は、前記接続管と接続したチャンバ（９）を有するハウジング（１）を含むこと、バネ付ピン（２）を、前記ハウジング（１）の壁を貫通する穴（６）に取付けること、密封要素（３）を、前記ピンと前記穴との間に配置すること、前記油圧が前記バネ（５）からの力を上回ると、前記ピンを、前記チャンバ内の前記油圧によって外方に、外側位置へと押圧することを特徴とする、請求項１に記載の集中潤滑システム。
【請求項３】
前記ピン（２）は、前記チャンバ内部にある該ピンの端部に、前記バネ（５）の片端部に対する支持体となる係止リング（４）を備えること、及び前記バネの他端部は、前記穴（６）にあるカラー（３７）に対して圧迫することを特徴とする、請求項２に記載の集中潤滑システム。
【請求項４】
前記バネ（５）と前記係止リング（４）との間にプレート（６）を設けること、及び前記バネ（５）と前記カラー（３７）との間にプレート（６）と前記密封要素（３）を設けることを特徴とする、請求項３に記載の集中潤滑システム。
【請求項５】
前記ピンは頭部（３８）を有し、該頭部は前記外側位置において外面（３９）を有し、該外面は前記ハウジング（１）の外面（４０）から突出すること、及び前記油圧が前記所定レベルを下回り、その結果前記頭部（３８）の前記外面（３９）が前記ハウジング（１）の前記外面（４０）と面一となる内側位置において、前記頭部は下面を有し、該下面は前記穴内にあるカラー（３７）に対して圧迫することを特徴とする、請求項２、３又は４に記載の集中潤滑システム。
【請求項６】
前記ピン（２）を、該ピンがその外側位置を離れると、信号を発するように適合する電子センサ、例えば誘導センサ（９０）と接続することを特徴とする、請求項２乃至５の何れかに記載の集中潤滑システム。
【請求項７】
前記漏油検知器（１０）は、圧力スイッチ（９５）を含み、該圧力スイッチを、前記接続管に設け、前記圧力が前記所定レベルを下回ると、信号を発するよう適合することを特徴とする、請求項１に記載の集中潤滑システム。
【請求項８】
前記漏油検知器を、前記潤滑装置（１１）と一体に形成することを特徴とする、請求項１乃至７の何れかに記載の集中潤滑システム。
【請求項９】
前記漏油検知器を、前記システム装置（１３、２０６；１００、１０１）と一体に形成することを特徴とする、請求項１乃至７の何れかに記載の集中潤滑システム。
【請求項１０】
前記漏油検知器の前記ハウジングを、貫通ダクトを持つ横走部を有すると共に、ステム内のネジ穴（３５）によって形成する前記チャンバ（９）を含む前記ステムを有するＴ字型部品（３４）によって形成すること、及び前記穴を、バネ付ピン（２）を取付ける内穴（６）を有するネジ栓（３６）によって密封することを特徴とする、請求項２乃至９の何れかに記載の集中潤滑システム。
【請求項１１】
前記システムは、噴射器（２０６）の形をした前記噴射器に潤滑油を供給するためのシステム装置、及び前記油を前記噴射器（２０６）に供給する集中アキュムレータ（１００）又は分散アキュムレータ（１０１）の形をしたシステム装置に接続する集中ポンプステーション（２０１）を含むことを特徴とする、請求項１乃至１０の何れかに記載の集中潤滑システム。
【請求項１２】
前記システムは、アキュムレータ（１００）の形をしたシステム装置と接続するポンプステーション（２０１）を含むこと、及び前記アキュムレータを、圧力供給ライン（２３１）と接続して、油投入の実施を、比較的均一な圧力条件下で実行することを特徴とする、請求項１乃至１１の何れかに記載の集中潤滑システム。 
【国際調査報告】
2013531163.tif 000012
2013531163.tif 000013